(57)【特許請求の範囲】
【請求項１】
天井吊り下げ型又は天井埋め込み型の空気調和装置（１）の室内機（２）であって、
熱交換器（１０）と、
当該室内機（２）の上端面を構成し、貫通孔が所定の位置に設けられた天板（２３）と、
少なくとも前記天板（２３）における貫通孔（２３０）の設けられた部位の下側において当該天板（２３）と対面するように配置される断熱部材（６０）と、を備え、
前記断熱部材（６０）は、前記貫通孔（２３０）から浸入する水を、当該貫通孔（２３０）の下側の位置から前記熱交換器（１０）よりも外側の位置まで案内可能な導水構造（６４）を有し、
前記導水構造（６４）は、前記断熱部材（６０）の天面（６２）に設けられ、前記貫通孔（２３０）の下側の位置から前記熱交換器（１０）の外側の位置まで延びる導水溝（６４）である空気調和装置の室内機。
【請求項２】
前記導水溝（６４）の底面（６５）は、前記貫通孔（２３０）の下側の位置から前記熱交換器（１０）の外側の位置に向かって低くなるように傾斜する請求項１に記載の空気調和装置の室内機。
【請求項３】
前記熱交換器（１０）に対して空気の流れ方向の上流側に配置される電装ユニット（５５）を備え、
前記天板（２３）は、平面視において矩形状であり、
前記電装ユニット（５５）の少なくとも一部と前記貫通孔（２３０）とは、前記天板（２３）の周縁における一つの辺に沿った位置に配置される請求項１又は２に記載の空気調和装置の室内機。
【発明の詳細な説明】
【技術分野】
【０００１】
本発明は、冷媒が循環して蒸気圧縮式の冷凍サイクルを行う空気調和装置の室内機に関する。
【背景技術】
【０００２】
天井から吊り下げられた状態で設置される（天井吊り下げ型の）空気調和装置の室内機として、例えば、特許文献１に記載されたものが知られている。
【０００３】
また、天井に埋め込まれた状態で設置される（天井埋め込み型の）空気調和装置として、例えば、特許文献２に記載されたものが知られている。
【０００４】
これらの室内機は、当該室内機の上端面を構成する天板の下側に、熱交換器や送風機、電装品等の各構成要素が配置されている。そして、天板が天井からの吊り下げ部材に接続され、又は、固定部材等によって天井に固着されることによって、これら室内機が天井に設置される。
【先行技術文献】
【特許文献】
【０００５】
【特許文献１】特開平１０−１０３７０２号公報
【特許文献２】特開２００７−１９２４１５号公報
【発明の概要】
【発明が解決しようとする課題】
【０００６】
上記の室内機において、天板に貫通孔が形成されている場合がある。この貫通孔は、例えば、製造工程において天板に送風機のモータ等を取り付ける際に天板を固定するために用いられたり、室内機を設置する際の位置決めに利用されたりするもので、設置後には利用されない。そのため、設置後の室内機において、前記天板の貫通孔は開口した状態のままになっている。
【０００７】
通常、天板の直ぐ下側には、天板の結露を防ぐための断熱部材が配置されているため、貫通孔は断熱部材の天面によって塞がれているが、この断熱部材は、前記貫通孔を塞ぐための部材ではないため、前記貫通孔は液密状態では塞がれていない。具体的には、断熱部材が天板の下側から当該天板に当接するように配置されることによって前記貫通孔が塞がれているため、天板と断熱部材との間には僅かな隙間が形成されている。
【０００８】
このため、天板に前記貫通孔が形成されている場合に、雨漏り等によって天井側から天板上に水が到達すると、この水が前記貫通孔から前記天板と断熱部材との隙間を通って室内機の内部に浸入する場合がある。
【０００９】
この室内機内に浸入した水が送風機や電装ユニットの配置された領域に流入すると、送風機のモータや電装ユニット内の電装品等が濡れて故障の原因となる。
【００１０】
そこで、本発明は、上記問題に鑑み、天板に形成された貫通孔から水が浸入しても、この水が電装品等の配置された領域に浸入し難い空気調和装置の室内機を提供することを課題とする。
【課題を解決するための手段】
【００１１】
上記課題を解消すべく、本発明は、天井吊り下げ型又は天井埋め込み型の空気調和装置（１）の室内機（２）であって、熱交換器（１０）と、当該室内機（２）の上端面を構成し、貫通孔が所定の位置に設けられた天板（２３）と、少なくとも前記天板（２３）における貫通孔（２３０）の設けられた部位の下側において当該天板（２３）と対面するように配置される断熱部材（６０）と、を備える。そして、前記断熱部材（６０）は、前記貫通孔（２３０）から浸入する水を、当該貫通孔（２３０）の下側の位置から前記熱交換器（１０）よりも外側の位置まで案内可能な導水構造（６４）を有する。
【００１２】
かかる構成によれば、天板（２３）に設けられた貫通孔（２３０）から水が浸入した場合に、この水が、断熱部材（６０）の導水構造（６４）によって、熱交換器（１０）よりも外側（熱交換器（１０）の二次側）の位置まで案内されるため、前記水が室内機（２）における電装品等が配置された領域に向かうことを防ぐことができる。その結果、天板（２３）に設けられた貫通孔（２３０）から水が浸入しても、この水が室内機（２）における電装品等の配置された領域に浸入し難くなる。
【００１３】
具体的には、天井吊り下げ型又は天井埋め込み型の室内機（２）において、熱交換器（１０）よりも外側、即ち、熱交換器（１０）によって温度調整された後、吹出口（２５）から吹出されるまでの空気の経路中には、吹き出される空気の流れの邪魔にならないように送風機（２７）や電装ユニット（５５）等が配置されていないため、断熱部材（６０）が有する導水構造（６４）によって貫通孔（２３０）から浸入した水を前記熱交換器（１０）の外側（熱交換器（１０）の二次側）の位置まで案内することにより、室内機（２）における電装品等が配置された領域（例えば、熱交換器（１０）の一次側）へ前記水が向かうことを好適に防ぐことができる。
【００１４】
前記導水構造（６４）は、前記断熱部材（６０）の天面（６２）に設けられ、前記貫通孔（２３０）の下側の位置から前記熱交換器（１０）の外側の位置まで延びる導水溝（６４）である。
【００１５】
このように、断熱部材（６０）の天面（６２）に溝（導水溝）（６４）を設けるといった簡素な構成によって、天板（２３）の貫通孔（２３０）から浸入した水が室内機（２）における電装品等の配置された領域に向かうことを好適に防ぐことができる。
【００１６】
また、導水構造を溝（導水溝）（６４）とする場合、前記導水溝（６４）の底面（６５）が、前記貫通孔（２３０）の下側の位置から前記熱交換器（１０）の外側の位置に向かって低くなるように傾斜することが好ましい。
【００１７】
かかる構成によれば、天板（２３）の貫通孔（２３０）から浸入した水をより確実に前記吹出口（２５）側の位置まで案内でき、これによって、天板（２３）の貫通孔（２３０）から浸入した水が電装品等の配置された領域に向かうことをより確実に防ぐことができる。
【００１８】
前記熱交換器（１０）に対して空気の流れ方向の上流側に配置される電装ユニット（５５）を備え、前記天板（２３）は、平面視において矩形状であり、前記電装ユニット（５５）の少なくとも一部と前記貫通孔（２３０）とは、前記天板（２３）の周縁における一つの辺に沿った位置に配置されてもよい。
【００１９】
この場合には、電装ユニット（５５）が貫通孔（２３０）に近い位置に配置されることとなるが、そのような場合でも、貫通孔（２３０）から浸入した水が断熱部材（６０）の導水構造（６４）によって熱交換器（１０）よりも外側（空気の流れにおける熱交換器（１０）の下流側）の位置まで案内されるため、熱交換器（１０）よりも内側（空気の流れにおける熱交換器（１０）の上流側）に配置された電装ユニット（５５）が前記水によって濡れることを確実に防ぐことができる。
【発明の効果】
【００２０】
以上より、本発明によれば、天板に形成された貫通孔から水が浸入しても、この水が電装品等の配置された領域に浸入し難い空気調和装置の室内機を提供することができる。
【図面の簡単な説明】
【００２１】
【図１】本実施形態に係る空気調和装置の概略構成図である。
【図２】前記空気調和装置における室内機の斜視図である。
【図３】前記室内機の縦断面図である。
【図４】下面化粧板とドレンパンとを取り除いた状態の底面図である。
【図５】図３におけるＩＶ−ＩＶ部の拡大図である。
【図６】前記室内機の断熱部材の斜視図である。
【図７】参考例に係る室内機の縦断面における一部拡大図である。
【発明を実施するための形態】
【００２２】
以下、本発明の一実施形態について、添付図面を参照しつつ説明する。
【００２３】
本実施形態に係る室内機（以下、単に「室内機」と称する。）は、図１に示されるように、配管４、４によって室外機３と接続されることにより空気調和装置１を構成する。この空気調和装置１は冷媒回路を有し、この冷媒回路は、室内側熱交換器１０と、圧縮機１２と、室外側熱交換器１３と、膨張弁１４と、四路切換弁１５とを主な構成要素としている。この空気調和装置１では、四路切換弁１５が切り換えられることにより、冷媒回路における冷媒の循環方向が切り換えられ、これにより、冷房運転と暖房運転との切り換えが行われる。
【００２４】
室内機２は、天井吊り下げ型（いわゆる天吊りタイプ）であり、図２及び図３にも示されるように、天井から延びる吊り下げボルト等の吊り下げ部材によって天井に吊り下げられるケーシング２１と、ケーシング２１の下部に取り付けられる化粧板２２と、を備える。
【００２５】
ケーシング２１は、平面視において略正方形（矩形状）の天板２３と、この天板２３の周縁から略下方に向かって延びる側壁２４とを有する。
【００２６】
天板２３は、室内機２の上端面（天面）を構成する金属製の板状部材である。この天板２３が天井から垂下する前記吊り下げ部材に接続されることにより、室内機２が天井に設置される。
【００２７】
この天板２３は、その周縁部に貫通孔２３０を有する。本実施形態の天板には、２個の貫通孔２３０、２３０が形成されている。具体的に、２個の貫通孔２３０、２３０は、前記略正方形の一辺を構成する天板周縁部位の水平方向略中央に１個形成され、天板２３の中心を挟んで前記一辺と対向する辺を構成する天板周縁部位の水平方向略中央に１個形成されている。
【００２８】
本実施形態の２個の貫通孔２３０、２３０は、室内機２の製造工程において、後述する送風機２７のファンモータ３２を天板２３の中心部に固定するときに、天板２３が動かないよう当該天板２３を固定するために利用されている。
【００２９】
側壁２４は、室内機２の各角部にそれぞれ配置されるコーナーカバー２４０と、各コーナーカバー２４０、２４０間に配置され、水平方向に長尺な側面化粧板２４２と、を有する。この側面化粧板２４２の下側には、吹出口２５が開口しており、この吹出口２５には、風向板２５Ａが配置されている。この風向板２５Ａは、水平方向に長尺な矩形状の板状部材であり、水平方向の両端部に図略のスイングモータが接続され、当該スイングモータの駆動によって、揺動若しくは回動する。前記揺動又は回動により、吹出口２５から吹き出される風の向きが変わる。また、風向板２５Ａは、当該室内機２を備える空気調和装置１の運転停止中には、吹出口２５を塞ぐように起立した姿勢となる。
【００３０】
下面化粧板２２は、側壁２４の下部開口を塞ぐように配置される。この下面化粧板２２は、その中央部に矩形状の吸込みグリル２６を有する。
【００３１】
また、室内機２は、ケーシング２１内に、送風機２７、ベルマウス２８、エアフィルタ２９、室内側熱交換器１０、ドレンパン３０、電装ユニット５５、断熱部材６０等を有する。
【００３２】
送風機２７は、羽根車３１と、ファンモータ３２とを有する遠心送風機（ターボファン）であり、下面化粧板２２の吸込みグリル２６に対応する位置に送風機２７の吸込口３３が臨むように配置されている。この送風機２７の吸込口３３と吸込みグリル２６との間に、ベルマウス２８が配置されている。
【００３３】
エアフィルタ２９は、ベルマウス２８の入口を覆う大きさを有し、ベルマウス２８と吸込みグリル２６との間に吸込みグリル２６に沿って配置されている。
【００３４】
室内側熱交換器１０は、薄板状の複数のフィン３４、３４、…と、各フィン３４に形成された貫通孔に挿通された複数の伝熱管３５、３５、…とを有する所謂クロスフィン型の熱交換器である。この室内側熱交換器１０は、水平方向から遠心送風機２７（羽根車３１）の周囲を囲むように配置されている。この室内側熱交換器１０は、伝熱管３５の管壁及びフィン３４を介して各伝熱管３５内を流れる冷媒と遠心送風機２７から送風される室内空気（外気）との熱交換を行う。
【００３５】
ドレンパン３０は、室内側熱交換器１０において生じる水滴を受け止めて室内へ落下するのを防ぐための部材であり、室内側熱交換器１０の下側において当該室内側熱交換器１０に沿うように配置されている。
【００３６】
電装ユニット５５は、室内機２の制御に必要な各種電装品を収容している。この電装ユニット５５は、水平方向における室内側熱交換器１０よりも内側（室内側熱交換器の一次側）に配置されている。
【００３７】
断熱部材６０は、天板２３及び側壁２４の内側においてこれら天板２３及び側壁２４と対面するように配置され、発泡スチロール等の軽量且つ断熱性に優れた素材によって形成されている。この断熱部材６０は、室内機２の内部と外部との温度差によってケーシング２１の外面（表面）に結露が生じるのを防ぐための部材である。
【００３８】
断熱部材６０は、室内側熱交換器１０から、当該熱交換器１０によって温調された空気が室内機２の外部に吹き出される吹出口２５までの経路に沿った位置、具体的には、天板２３における室内側熱交換器１０の上側の位置から側面化粧板２４２下端の吹出口２５までの範囲に配置される。
【００３９】
本実施形態の断熱部材６０は、図６にも示されるように、平面視においては、天板２３の周縁に沿った枠形状であり、側面視においては、側壁２４に対応する形状、即ち、水平方向両端部（コーナーカバー２４０の内側に位置する部位）では天板２３から下面化粧板２２まで延び、中央部（側面化粧板２４２の内側に位置する部位）では天板２３から側面化粧板２４２の下端（吹出口２５の上端）まで延びる形状である。
【００４０】
断熱部材６０の天面６２には天板２３に設けられた貫通孔２３０の数に対応する数の導水溝６４が形成されている。本実施形態の天板２３には、２個の貫通孔２３０、２３０が設けられているため、断熱部材６０の天面６２には、２個の導水溝６４、６４が形成されている。ここで、断熱部材６０の天面６２とは、断熱部材６０の上端面であって、天板２３の下側から当該天板２３に対面する面のことである。
【００４１】
尚、断熱部材６０には、少なくとも天板２３に設けられた貫通孔２３０の数の導水溝６４が形成されていればよく、本実施形態では、２個以上の導水溝６４、６４、…が形成されていればよい。また、天板２３に設けられる貫通孔２３０の数が１個の場合は、導水溝６４は、１個でもよい。
【００４２】
導水溝６４は、天板２３の貫通孔２３０を通じて外部から浸入してきた水を、貫通孔２３０の下側の位置から室内側熱交換器１０よりも外側（吹出口２５側）の位置まで案内する。
【００４３】
具体的に、導水溝６４は、断熱部材６０の天面６２において下方に向かって凹んだ部位であり、底面６５とこの底面６５の周縁から立ち上がる側壁面６６とからなる。そして、導水溝６４は、天板２３の貫通孔２３０の下側の位置から側面化粧板２４２（吹出口２５側）に向かって延びている。本実施形態の導水溝６４は、幅が一定で真っ直ぐに延びているが、これに限定されず、貫通孔２３０の下側の位置から側面化粧板２４２に向かって幅が変化してもよく、湾曲若しくは屈曲等していてもよい。
【００４４】
導水溝６４の先端（側面化粧板２４２側の端部）は、底面６５から立ち上がる側壁面がなく開放されている。即ち、導水溝６４を流れた水は、この先端から導水溝６４の外へ流れ出る。本実施形態では、貫通孔２３０の下側から側面化粧板２４２までの中間位置において断熱部材６０の天面６２に段差部６２Ａが形成されており、この段差部６２Ａの位置において導水溝６４の先端が開放されている。この導水溝６４の先端から流れ出た水は、断熱部材６０の表面を伝って側面化粧板２４２と断熱部材６０との間を通り、吹出口２５から外部に流れ出る。
【００４５】
尚、導水溝６４は、側面化粧板２４２まで延びていてもよい。また、導水溝６４の断面形状は、本実施形態のように上側が開口するコ字状でなくてもよく、例えば、Ｖ字状やＵ字状等であってもよい。
【００４６】
以上の室内機２によれば、天板２３に設けられた貫通孔２３０から水（雨漏り等によって天井側から天板２３に到達した水）が浸入した場合に、この水が、断熱部材６０の天面６２に溜まるのではなく、断熱部材６０の導水溝６４によって室内側熱交換器１０よりも外側（室内側熱交換器１０の二次側）の位置まで案内されるため、前記水が室内機２における電装品等が配置された領域（室内側熱交換器１０の一次側）に向かうことを防ぐことができる。その結果、天板２３に形成された貫通孔２３０から水が浸入しても、この水が室内機２における電装ユニット５５等の配置された領域（室内側熱交換器１０の一次側）に浸入し難くなる。
【００４７】
具体的には、室内機２において、室内側熱交換器１０の外側、即ち、室内側熱交換器１０によって温度調整された後、吹出口２５から吹出されるまでの空気の経路中には、吹き出される空気の流れの邪魔にならないように送風機２７や電装ユニット５５等が配置されていない。このため、断熱部材６０の導水溝６４によって貫通孔２３０から浸入した水を、電装ユニット５５等が配置されていない領域である室内側熱交換器１０の外側（室内側熱交換器１０の二次側）の位置まで案内することにより、室内機２における電装ユニット５５等が配置された領域（室内側熱交換器１０の一次側）へ前記水が向かうことを好適に防ぐことができる。
【００４８】
尚、本発明の空気調和装置の室内機は、上記実施形態に限定されるものではなく、本発明の要旨を逸脱しない範囲内において種々変更を加え得ることは勿論である。
【００４９】
上記実施形態の断熱部材６０の導水溝６４は、室内機２の製造工程において利用される貫通孔２３０から浸入する水を案内するが、他の用途のために天板２３に設けられた貫通孔から浸入した水を案内するために用いられてもよい。即ち、断熱部材６０に設けられた導水溝６４は、天板２３に設けられた貫通孔の用途や位置にかかわらず、この貫通孔から浸入した水を室内側熱交換器１０の外側（二次側）の位置まで案内するのに用いられる。
【００５０】
上記実施形態の断熱部材６０の導水溝６４では、底面６５が略水平な面であるが、これに限定されず、導水溝の底面が側面化粧板２４２に向かって低くなるように傾斜していてもよい。このように導水溝の底部（底面）を傾斜させることによって、天板２３の貫通孔２３０から浸入した水をより確実に室内側熱交換器１０の外側の位置まで案内でき、これによって、天板２３の貫通孔２３０から浸入した水が電装ユニット５５等の配置された領域（室内側熱交換器１０の一次側）に向かうことをより確実に防ぐことができる。
【００５１】
また、上記実施形態の室内機２では、矩形状の天板２３の周縁における一つの辺に沿った位置に貫通孔２３０が設けられ、前記辺と隣接する辺に沿った位置に電装ユニット５５が配置されているが、この配置に限定されない。例えば、貫通孔２３０及び電装ユニットが、天板２３の一つの辺に沿って配置されていてもよい。このとき、電装ユニットは、前記一つの辺及びこれに隣接する辺等に跨るように配置されてもよい。即ち、電装ユニットの少なくとも一部と貫通孔２３０とが、天板２３の一つの辺に沿って配置されていてもよい。この場合には、電装ユニットが貫通孔２３０に近い位置に配置されることとなるが、そのような場合でも、貫通孔２３０から浸入した水が断熱部材６０の導水構造６４によって室内側熱交換器１０よりも外側（二次側）の位置まで案内されるため、当該熱交換器１０よりも内側（一次側）に配置された電装ユニット５５が前記水によって濡れることを確実に防ぐことができる。
【００５２】
また、上記実施形態の室内機２は、天井吊り下げ型であるが、天井埋め込み型（いわゆるカセット型）の室内機であってもよい。即ち、上記実施形態では、側面に吹出口２５が形成された室内機２であるが、底面に吹出口が形成された室内機であってもよい。
【００５３】
天井埋め込み型の室内機であっても、熱交換器から吹出口までの間にはファンモータや電装ユニット等が配置されないため、当該位置まで天板２３の貫通孔２３０から浸入した水を案内することにより、この水が室内機における電装品等の配置された領域（例えば、熱交換器の一次側）に浸入し難くなる。
【００５４】
また、上記実施形態では、四方向に風を吹き出す室内機２であるが、これに限定されず、２方向に風を吹き出す室内機であってもよく、１方向に風を吹き出す室内機であってもよい。
【００５５】
また、天板２３の貫通孔２３０から浸入した水を室内側熱交換器１０よりも吹出口２５側の位置まで案内する断熱部材６０に設けられた導水構造の具体的な構成は限定されない。上記実施形態の室内機２では、断熱部材６０に設けられた前記導水構造として導水溝６４が用いられているが、例えば、図７に示される参考例のように、断熱部材６０内に形成された導水穴６４Ａが用いられてもよい。この場合、導水穴６４Ａの一方側の端部を天板２３の貫通孔２３０の下側に開口させ、他方側の端部を室内側熱交換器１０の外側（図７の例では、側面化粧板２４２と対向する位置）に開口させる。導水穴６４Ａの内部は、天板２３の貫通孔２３０側の開口から側面化粧板２４２側の開口に向けて下り勾配となるように形成する。
【００５６】
また、上記実施形態の室内機２は、冷房運転及び暖房運転の両方を行う空気調和装置１に用いられるが、冷房専用の空気調和装置に用いられる室内機であってもよく、暖房専用の空気調和装置に用いられる室内機であってもよい。
【符号の説明】
【００５７】
１     空気調和装置
２     室内機
１０   室内側熱交換器（熱交換器）
２１   ケーシング
２２   下面化粧板
２３   天板
２４   側壁
２５   吹出口
５５   電装ユニット
６０   断熱部材
６２   天面
６４   導水溝（導水構造）
６５   底面
２３０ 貫通孔
２４２ 側面化粧板
【図１】
0005720598.tif 000002
【図２】
0005720598.tif 000003
【図３】
0005720598.tif 000004
【図４】
0005720598.tif 000005
【図５】
0005720598.tif 000006
【図６】
0005720598.tif 000007
【図７】
0005720598.tif 000008